(57)【要約】      （修正有）【課題】複数の周波数帯域のノイズを抑えることができ、しかも、実装面積を狭めることのできる回路保護素子を提供する。【解決手段】水平方向に少なくとも２以上の導電パターンが所定の間隔だけ隔てられてそれぞれ形成されて垂直方向に積み重ねられた複数枚のシートを有する。垂直方向に少なくとも２つの導電パターンが接続されて一つの共通モードノイズフィルタ２０００をなし、水平方向に少なくとも２以上の共通モードノイズフィルタ２０００が設けられた回路保護素子である。【選択図】図２
2015192149.tif 000002
【特許請求の範囲】
【請求項１】
水平方向に少なくとも２以上の導電パターンが互いに隔てられてそれぞれ形成されたシートが垂直方向に複数枚積み重ねられ、
垂直方向に少なくとも２つの導電パターンが接続されて一つの共通モードノイズフィルタをなし、水平方向に少なくとも２以上の共通モードノイズフィルタが設けられた回路保護素子。
【請求項２】
前記導電パターンは、コイルパターン、直線パターン、曲線パターンを含む請求項１に記載の回路保護素子。
【請求項３】
水平方向に形成された少なくとも２以上の前記コイルパターンは、少なくとも２以上の回転数を有する請求項２に記載の回路保護素子。
【請求項４】
前記複数枚のシートは、少なくとも２以上の伝導性物質が埋め込まれた孔および前記導電パターンとそれぞれ接続される少なくとも２以上の第１の引出電極をさらに有する請求項３に記載の回路保護素子。
【請求項５】
前記伝導性物質が埋め込まれた孔を介して前記導電パターンが垂直方向に接続された請求項４に記載の回路保護素子。
【請求項６】
前記少なくとも２以上の伝導性物質が埋め込まれた孔と、前記少なくとも２以上の導電パターンおよび前記少なくとも２以上の第１の引出電極がそれぞれ形成された第１乃至第４のシートを有し、
前記第１のシートの前記導電パターンが前記第１および第２のシートに形成された前記孔を介して前記第３のシートの前記導電パターンとそれぞれ接続され、
前記第２のシートの前記導電パターンが前記第２および第３のシートに形成された前記孔を介して前記第４のシートの前記導電パターンとそれぞれ接続され、
前記上下に接続される導電パターンのいずれか一つは、コイルパターンである請求項５に記載の回路保護素子。
【請求項７】
前記コイルパターンのうちの少なくともいずれか一つは、他のコイルパターンに比べて回転数がさらに多い請求項６に記載の回路保護素子。
【請求項８】
前記少なくとも２以上の回転数をそれぞれ有する第１乃至第４のコイルパターンがそれぞれ形成された第１乃至第４のシートを有し、
前記第１のシートの前記第１のコイルパターンが前記第１および第２のシートに形成された前記孔を介して前記第３のシートの前記第３のコイルパターンとそれぞれ接続され、
前記第２のシートの前記第２のコイルパターンが前記第２および第３のシートに形成された前記孔を介して前記第４のシートの前記第４のコイルパターンとそれぞれ接続される請求項５に記載の回路保護素子。
【請求項９】
前記第１および第３のコイルパターンは同じ回転数を有し、前記第２のコイルパターンは前記第１および第３のコイルパターンよりも多い回転数を有する請求項８に記載の回路保護素子。
【請求項１０】
前記第１乃至第３のコイルパターンがそれぞれ上下に接続されて第１乃至第３の共通モードノイズフィルタをそれぞれなし、
前記第１および第３の共通モードノイズフィルタがＵＳＢ３．０チップセットと接続されるＵＳＢ３．０ラインに接続され、前記第２の共通モードノイズフィルタはＵＳＢ２．０チップセットと接続されるＵＳＢ２．０ラインに接続される請求項９に記載の回路保護素子。
【請求項１１】
前記第１および第３の共通モードノイズフィルタは、差動モードにおいて７ＧＨｚ〜９ＧＨｚの遮断周波数を有し、前記第２の共通モードノイズフィルタは、差動モードにおいて４ＧＨｚ〜５ＧＨｚの遮断周波数を有する請求項１０に記載の回路保護素子。
【請求項１２】
前記第１および第３の共通モードノイズフィルタは、共通モードにおいて２ＧＨｚの遮断周波数を有し、前記第２の共通モードノイズフィルタは、共通モードにおいて１ＧＨｚの遮断周波数を有する請求項１０または請求項１１に記載の回路保護素子。
【請求項１３】
前記複数枚のシートが積み重ねられた積層体の相対向する両側面に設けられて前記少なくとも２以上の第１の引出電極と接続される少なくとも２以上の第１の外部電極をさらに有する請求項４に記載の回路保護素子。
【請求項１４】
前記共通モードノイズフィルタの少なくとも一つのコイルパターンの中心に形成された磁芯をさらに有する請求項３に記載の回路保護素子。
【請求項１５】
前記少なくとも一つの共通モードノイズフィルタの下側に設けられて静電気放電 （ＥＳＤ）を防護する静電気放電 （ＥＳＤ）保護素子をさらに有する請求項１３に記載の回路保護素子。
【請求項１６】
前記静電気放電 （ＥＳＤ）保護素子は、静電気放電 （ＥＳＤ）保護物質が埋め込まれた複数の孔と、前記孔から前記少なくとも２以上の第１の引出電極と同じ方向に形成された少なくとも２以上の第２の引出電極と、を有する請求項１５に記載の回路保護素子。
【請求項１７】
前記静電気放電 （ＥＳＤ）保護素子は、前記第２の引出電極と直交する方向に形成された第３の引出電極をさらに有する請求項１６に記載の回路保護素子。
【請求項１８】
前記積層体の相対向する両側面に設けられて前記第３の引出電極と接続される第２の外部電極をさらに有する請求項１７に記載の回路保護素子。
【発明の詳細な説明】
【技術分野】
【０００１】
本発明は、回路保護素子に係り、特に、複数の周波数帯域のノイズを抑えることができ、しかも、実装面積を狭めることのできる回路保護素子に関する。
【背景技術】
【０００２】
最近のメディアおよび文化コンテンツの多様化と映像および音声の質の向上には目を見張るものがあり、これに伴い、電子機器が転送すべきデータの量も急増しつつある。データ転送規格（Ｕｎｉｖｅｒｓａｌ Ｓｅｒｉａｌ Ｂｕｓ；ＵＳＢ）の場合、最近まで２．０規格が広く用いられていた。ＵＳＢ２．０の速度は４８０Ｍｂｐｓであり、高画質の映像コンテンツが主として消費される前には転送速度が十分に速かったが、現在はユーザが不便さを感じるほど遅い。
【０００３】
これに対し、ＵＳＢ３．０はＵＳＢ２．０に比べて速度が１０倍以上速くて転送速度が５．０Ｇｂｐｓであり、現在消費されている高画質のコンテンツの転送に適した規格である。ＵＳＢ３．０は、パソコン（ＰＣ）と外部記憶媒体（外付けハードディスク、ＵＳＢメモリスティックなど）に先に適用され、最近にはスマートフォンにもその機能が搭載されている。スマートフォンに高画質の液晶表示装置（ＬＣＤ）と高画質の撮影が行えるカメラなどの機能があるため、ＵＳＢ３．０の搭載は当然且つ自然な流れである。ＵＳＢ３．０機能が高価なスマートフォンから搭載されており、中低価格タイプのスマートフォンへの機能の搭載が拡大される見込みである。
【０００４】
ＵＳＢ３．０が電子機器に搭載されるとき、既存のＵＳＢ２．０を代替するわけではなく、ＵＳＢ２．０はそのままにしておき、ＵＳＢ３．０関連のチップセットをさらに器機の内部に設け、外部と接続されるコネクタのピン数を増やしてＵＳＢ２．０及びＵＳＢ３．０が併用されるようにしている。データラインの数からみて、既存のＵＳＢ２．０は２本のラインであるのに対し、ＵＳＢ３．０は４本のラインであるため、ＵＳＢ３．０機能が搭載された器機は合計で６本のＵＳＢデータラインを電子機器の内部に設けることを余儀なくされる。普通、ＵＳＢ通信を行うとき、ＵＳＢ信号が発せられて他の電子機器や電子機器内の他の回路に電磁妨害（ＥＭＩ：ｅｌｅｃｔｒｏ ｍａｇｎｅｔｉｃ ｉｎｔｅｒｆｅｒｅｎｃｅ）ノイズ源（ｎｏｉｓｅ ｓｏｕｒｃｅ）として働く場合が多いため、一般に、ＵＳＢラインに電磁妨害（ＥＭＩ）フィルタを設ける。ＵＳＢ３．０を追加する場合、データラインに合計で３つの電磁妨害（ＥＭＩ）フィルタを設けることが必要であるが、合計で６ライン、すなわち、３フェア（pａｉｒ）にフェア別にフィルタを設ける。すなわち、合計で６ラインに２ラインおきにフィルタを設けて３個のフィルタが必要になる。このようなフィルタとしては、２つのチョークコイル（ｃｈｏｋｅ ｃｏｉｌ）が一つにまとめられた構造を有する共通モードノイズフィルタ（ｃｏｍｍｏｎ ｍｏｄｅ ｎｏｉｓｅ ｆｉｌｔｅｒ）が使用可能である。共通モードノイズフィルタの例は、例えば、下記の特許文献１に記載されている。
【０００５】
ところが、一般器機とは異なり、スマートフォンの場合、印刷回路基板（ＰＣＢ：ｐｒｉｎｔｅｄ ｃｉｒｃｕｉｔ ｂｏａｒｄ）の面積が狭いため、３つのフィルタを別々に設けると、実装面積が広くなってしまう。なお、ＵＳＢ２．０及びＵＳＢ３．０においては転送速度が１０倍以上異なるため、フィルタの遮断周波数特性も変わってくる。
【先行技術文献】
【特許文献】
【０００６】
【特許文献１】大韓民国登録特許第１０−０８７６２０６号公報
【発明の概要】
【発明が解決しようとする課題】
【０００７】
本発明は、上記従来の回路保護素子における問題点に鑑みてなされたものであって、本発明が解決しようとする課題は、実装面積を狭めることのできる回路保護素子を提供することにある。
【０００８】
本発明が解決しようとする他の課題は、実装面積を狭め、且つ、少なくとも２以上の遮断周波数を有する回路保護素子を提供することにある。
【０００９】
本発明が解決しようとするさらに他の課題は、ＵＳＢ２．０ラインおよびＵＳＢ３．０ラインに実装されてこれらのノイズをそれぞれ抑えることのできる回路保護素子を提供することにある。
【課題を解決するための手段】
【００１０】
上記の課題を解決するために、上記本発明の実施形態による回路保護素子は、水平方向に少なくとも２以上の導電パターンが互いに隔てられてそれぞれ形成されたシートが垂直方向に複数枚積み重ねられ、垂直方向に少なくとも２つの導電パターンが接続されて一つの共通モードノイズフィルタをなし、水平方向に少なくとも２以上の共通モードノイズフィルタが設けられることを特徴とする。
【００１１】
好ましくは、前記導電パターンは、コイルパターン、直線パターン、曲線パターンを含む。
【００１２】
また、好ましくは、水平方向に形成された少なくとも２以上の前記コイルパターンは、少なくとも２以上の回転数を有する。
【００１３】
さらに、好ましくは、前記複数枚のシートは、少なくとも２以上の伝導性物質が埋め込まれた孔および前記導電パターンとそれぞれ接続される少なくとも２以上の第１の引出電極をさらに有する。
【００１４】
さらに、好ましくは、前記伝導性物質が埋め込まれた孔を介して前記導電パターンが垂直方向に接続される。
【００１５】
さらに、好ましくは、本発明の実施形態による回路保護素子は、前記少なくとも２以上の伝導性物質が埋め込まれた孔と、前記少なくとも２以上の導電パターンおよび前記少なくとも２以上の第１の引出電極がそれぞれ形成された第１乃至第４のシートを有し、前記第１のシートの前記導電パターンが前記第１および第２のシートに形成された前記孔を介して前記第３のシートの前記導電パターンとそれぞれ接続され、前記第２のシートの前記導電パターンが前記第２および第３のシートに形成された前記孔を介して前記第４のシートの前記導電パターンとそれぞれ接続され、前記上下に接続される導電パターンのいずれか一つは、コイルパターンである。
【００１６】
さらに、好ましくは、前記コイルパターンのうちの少なくともいずれか一つは、他のコイルパターンに比べて回転数がさらに多い。
【００１７】
さらに、好ましくは、本発明の実施形態による回路保護素子は、前記少なくとも２以上の回転数をそれぞれ有する第１乃至第４のコイルパターンがそれぞれ形成された第１乃至第４のシートを有し、前記第１のシートの前記第１のコイルパターンが前記第１および第２のシートに形成された前記孔を介して前記第３のシートの前記第３のコイルパターンとそれぞれ接続され、前記第２のシートの前記前記第２のコイルパターンが前記第２および第３のシートに形成された前記孔を介して前記第４のシートの前記第４のコイルパターンとそれぞれ接続される。
【００１８】
さらに、好ましくは、前記第１および第３のコイルパターンは同じ回転数を有し、前記第２のコイルパターンは前記第１および第３のコイルパターンよりも多い回転数を有する。
【００１９】
さらに、好ましくは、前記第１乃至第３のコイルパターンがそれぞれ上下に接続されて第１乃至第３の共通モードノイズフィルタをそれぞれなし、前記第１および第３の共通モードノイズフィルタがＵＳＢ３．０チップセットと接続されるＵＳＢ３．０ラインに接続され、前記第２の共通モードノイズフィルタはＵＳＢ２．０チップセットと接続されるＵＳＢ２．０ラインに接続される。
【００２０】
さらに、好ましくは、前記第１および第３の共通モードノイズフィルタは、差動モードにおいて７ＧＨｚ〜９ＧＨｚの遮断周波数を有し、前記第２の共通モードノイズフィルタは、差動モードにおいて４ＧＨｚ〜５ＧＨｚの遮断周波数を有する。
【００２１】
さらに、好ましくは、前記第１および第３の共通モードノイズフィルタは、共通モードにおいて２ＧＨｚの遮断周波数を有し、前記第２の共通モードノイズフィルタは、共通モードにおいて１ＧＨｚの遮断周波数を有する。
【００２２】
さらに、好ましくは、本発明の実施形態による回路保護素子は、前記複数枚のシートが積み重ねられた積層体の相対向する両側面に設けられて前記少なくとも２以上の第１の引出電極と接続される少なくとも２以上の第１の外部電極をさらに有する。
【００２３】
さらに、好ましくは、本発明の実施形態による回路保護素子は、前記共通モードノイズフィルタの少なくとも一つのコイルパターンの中心に形成された磁芯をさらに有する。
【００２４】
さらに、好ましくは、本発明の実施形態による回路保護素子は、前記少なくとも一つの共通モードノイズフィルタの下側に設けられて静電気放電 （ＥＳＤ）を防護する静電気放電 （ＥＳＤ）保護素子をさらに有する。
【００２５】
さらに、好ましくは、前記静電気放電 （ＥＳＤ）保護素子は、静電気放電 （ＥＳＤ）保護物質が埋め込まれた複数の孔と、前記孔から前記少なくとも２以上の第１の引出電極と同じ方向に形成された少なくとも２以上の第２の引出電極と、を有する。
【００２６】
さらに、好ましくは、前記静電気放電 （ＥＳＤ）保護素子は、前記第２の引出電極と直交する方向に形成された第３の引出電極をさらに有する。
【００２７】
さらに、好ましくは、本発明の実施形態による回路保護素子は、前記積層体の相対向する両側面に設けられて前記第３の引出電極と接続される第２の外部電極をさらに有する。
【発明の効果】
【００２８】
本発明の実施形態による回路保護素子は、少なくとも２以上の共通モードノイズフィルタが一つのパッケージ内に実現されて少なくとも２以上の遮断周波数特性を有する。本発明の実施形態による回路保護素子は、例えば、ＵＳＢ２．０チップセットおよびＵＳＢ３．０チップセットとＵＳＢコネクタとの間のＵＳＢラインに実装されることにより、ＵＳＢラインのノイズを抑えることができる。
【００２９】
したがって、一つの共通モードノイズフィルタがパッケージングされた回路保護素子を通信ラインにそれぞれ設ける従来に比べて回路保護素子の数を減らすことができ、これにより、回路保護素子の実装面積を狭めることができる。また、少なくとも２以上の周波数帯域のノイズを抑えることができ、これにより、様々な周波数の機能を採用するスマートフォンなどの携帯用の電子機器に用いられて電子機器の品質を向上させることができる。
【図面の簡単な説明】
【００３０】
【図１】本発明の一実施形態による回路保護素子の結合斜視図である。
【図２】本発明の一実施形態による回路保護素子の結合断面図である。
【図３】本発明の一実施形態による回路保護素子の分解斜視図である。
【図４】本発明の一実施形態による回路保護素子の配設位置を示す概略図である。
【図５】本発明の一実施形態よる回路保護素子の遮断周波数特性を示すグラフである。
【図６】本発明の一実施形態よる回路保護素子の遮断周波数特性を示すグラフである。
【図７】本発明の他の実施形態による回路保護素子の結合斜視図である。
【図８】本発明の他の実施形態による回路保護素子の結合断面図である。
【図９】本発明の他の実施形態による回路保護素子の分解斜視図である。
【発明を実施するための形態】
【００３１】
以下、添付図面に基づき、本発明の実施形態を詳述する。しかしながら、本発明は、後述する実施形態に何ら限定されるものではなく、異なる種々の形態で実現される。単に、これらの実施形態は、本発明の開示を完全たるものにし、本発明の属する技術の分野における通常の知識を有する者に発明の範囲を完全に知らせるために提供されるものである。複数の層および各領域を明確に表現するために厚さを拡大して示し、図中、同じ符号は同じ構成要素を示す。
【００３２】
図１は、本発明の一実施形態による回路保護素子の結合斜視図であり、図２は、同断面図であり、図３は、同分解斜視図である。
【００３３】
本発明の一実施形態による回路保護素子は、図１に示すように、複数枚の絶縁シートが積み重ねられた積層体１００からなるが、図２および図３に示すように、上から上部カバー層１０００と、少なくとも２以上の共通モードノイズフィルタ２１００、２２００、２３００（２０００）および下部カバー層３０００を備える。また、本発明の一実施形態による回路保護素子は、積層体１００の相対向する両側面に形成されて少なくとも２以上の共通モードノイズフィルタ２０００と接続される外部電極４１００、４２００、４３００（４０００）をさらに有してもよい。
【００３４】
上部カバー層１０００および下部カバー層３０００は、矩形状の磁性体シートが複数枚積み重ねられてそれぞれ設けられる。このとき、磁性体シートは、短辺および長辺が、例えば、１：３の長さ比を有する。また、上部カバー層１０００および下部カバー層３０００は同じ厚さに設けられ、これらの間に設けられる共通モードノイズフィルタ２０００の厚さよりも薄く設けられる。しかしながら、上部カバー層１０００と、共通モードノイズフィルタ２０００および下部カバー層３０００を同じ厚さに設けてもよく、異なる厚さに設けてもよい。
【００３５】
共通モードノイズフィルタ２０００は、上部カバー層１０００と下部カバー層３０００との間に設けられる。このような共通モードノイズフィルタ２０００は、複数枚のシート１１０〜１４０が積み重ねられ、複数枚のシート１１０〜１４０に形成されたそれぞれ複数のコイルパターン、伝導性物質が埋め込まれた孔、引出電極を有する。すなわち、複数枚のシート１１０〜１４０の上部には少なくとも２以上のコイルパターンがそれぞれ形成され、シートの積層方向、すなわち、垂直方向の少なくとも２以上のコイルパターンが伝導性物質が埋め込まれた孔、すなわち、垂直接続配線を介して接続される。このため、垂直方向に接続された複数のコイルパターンが一つの共通モードノイズフィルタ２０００を形成し、これにより、水平方向に少なくとも２以上の共通モードノイズフィルタ２１００、２２００、２３００が形成される。すなわち、一つの回路保護素子内に少なくとも２以上の共通モードノイズフィルタ２０００が設けられるが、本発明の実施形態においては、３つの共通モードノイズフィルタ２１００、２２００、２３００が形成された場合を例にとって説明する。ここで、第１のシート１１０の上には少なくとも２以上のコイルパターン２１１、２２１、２３１と複数の伝導性物質が埋め込まれた孔１１１、１１２、１１３が形成され、第２のシート１２０の上には少なくとも２以上のコイルパターン２１２、２２２、２３２と複数の伝導性物質が埋め込まれた孔１２１、１２２、１２３、１２４、１２５、１２６が形成され、第３のシート１３０の上には少なくとも２以上のコイルパターン２１３、２２３、２３３と複数の伝導性物質が埋め込まれた孔１３１、１３２、１３３が形成され、第４のシート１４０の上には少なくとも２以上のコイルパターン２１４、２２４、２３４が形成される。また、第１のシート１１０に形成された少なくとも２以上のコイルパターン２１１、２２１、２３１は、第３のシート１３０に形成された少なくとも２以上のコイルパターン２１３、２２３、２３３と第１のシート１１０に形成された複数の伝導性物質が埋め込まれた孔１１１、１１２、１１３および第２のシート１２０に形成された複数の伝導性物質が埋め込まれた孔１２２、１２４、１２６を介してそれぞれ接続され、第２のシート１２０に形成された少なくとも２以上のコイルパターン２１２、２２２、２３２は、第４のシート１４０に形成された少なくとも２以上のコイルパターン２１４、２２４、２３４と第２のシート１２０に形成された複数の伝導性物質が埋め込まれた孔１２１、１２３、１２５および第３のシート１３０に形成された複数の伝導性物質が埋め込まれた孔１３１、１３２、１３３を介して接続される。すなわち、第１のシート１１０のコイルパターン２１１が第３のシート１３０のコイルパターン２１３と垂直接続配線３１２を介して接続され、第２のシート１２０のコイルパターン２１２が第４のシート１４０のコイルパターン２１４と垂直接続配線３１１を介して接続されて第１の共通モードノイズフィルタ２１００が形成される。さらに、第１のシート１１０のコイルパターン２２１が第３のシート１３０のコイルパターン２２３と垂直接続配線３２２を介して接続され、第２のシート１２０のコイルパターン２２２が第４のシート１４０のコイルパターン２２４と垂直接続配線３２１を介して接続されて第２の共通モードノイズフィルタ２２００が形成される。加えて、第１のシート１１０のコイルパターン２３１が第３のシート１３０のコイルパターン２３３と垂直接続配線３３２を介して接続され、第２のシート１２０のコイルパターン２３２が第４のシート１４０のコイルパターン２３４と垂直接続配線３３１を介して接続されて第３の共通モードノイズフィルタ２３００が形成される。ここで、垂直接続配線３１１、３１２、３２１、３２２、３３１、３３２は、導電性物質が埋め込まれた複数の孔が接触されて形成される。一方、共通モードノイズフィルタ２１００、２２００、２３００（２０００）は、コイルパターンの回転数が少なくとも２以上であり、これにより、少なくとも２以上のインピーダンス特性を有する。すなわち、第１および第３の共通モードノイズフィルタ２１００、２３００がＵＳＢ３．０ラインに接続され、第２の共通モードノイズフィルタ２２００がＵＳＢ２．０ラインに接続されるが、第１および第３の共通モードノイズフィルタ２１００、２３００はコイルパターンの回転数が等しく、第２の共通モードノイズフィルタ２２００のコイルパターンの回転数とは異なる。例えば、第１および第３の共通モードノイズフィルタ２１００、２３００は、第２の共通モードノイズフィルタ２２００のコイルパターンの回転数に等しいかそれよりも小さいが、コイルパターンの回転数の比が、例えば、１：１〜１：１０である。
【００３６】
外部電極４０００は、積層体１００の第１の側面およびこれと向かい合う第２の側面にそれぞれ設けられる。すなわち、シートの積層方向が垂直方向であるとしたとき、積層体の水平方向の向かい合う両長辺の側面に外部電極４０００が形成される。また、外部電極４０００は、少なくとも２以上の共通モードノイズフィルタ２１００、２２００、２３００のそれぞれに対して第１および第２の側面にそれぞれ２つ設けられる。このため、３つの共通モードノイズフィルタ２１００、２２００、２３００に対して第１および第２の側面にそれぞれ６個の外部電極４０００が形成される。すなわち、第１の共通モードノイズフィルタ２１００と接続される第１の外部電極４１１０、４１２０、４１３０、４１４０と、第２の共通モードノイズフィルタ２２００と接続される第２の外部電極４２１０、４２２０、４２３０、４２４０と、第３の共通モードノイズフィルタ２３００と接続される第３の外部電極４３１０、４３２０、４３３０、４３４０と、を有する。これらの外部電極４０００は、入力端子と出力端子との間にそれぞれ接続される。すなわち、回路保護素子の一方の側面に形成された外部電極４０００は信号入力端子に接続され、これと対応する他方の側面に形成された外部電極４０００は出力端子、例えば、システムに接続される。
【００３７】
一方、前記実施形態においては、スパイラル状の上下に両コイルパターンが接続されて一つのインダクタを実現しているが、インダクタを実現する一方の導電パターンはスパイラル状のコイルパターンにより形成され、これと垂直方向に接続される他方の導電パターンは直線状、曲線状など様々な形状を有する。すなわち、本発明の共通モードノイズフィルタは両導電パターンが上下に接続されてインダクタをなし、両導電パターンのうちの少なくともいずれか一方がスパイラル状を有し、このとき、他方はスパイラル状ではなく、他の形状を有する。
【００３８】
以下、このような本発明の一実施形態による回路保護素子の共通モードノイズフィルタについて、図３の分解斜視図を用いてより詳細に説明する。
【００３９】
共通モードノイズフィルタ２０は、図３に示すように、複数枚のシート１１０〜１４０と、複数枚のシート１１０〜１４０に選択的に形成されて導電物質が埋め込まれた複数の孔１１１、１１２、１１３、１２１、１２２、１２３、１２４、１２５、１２６、１３１、１３２、１３３と、シート１１０、１２０、１３０、１４０の上に形成された複数のコイルパターン２１１、２２１、２３１、２１２、２２２、２３２、２３１、２３２、２３３、２４１、２４２、２４３と、シート１１０、１２０、１３０、１４０の上に形成され、複数のコイルパターン２１１、２２１、２３１、２１２、２２２、２３２、２３１、２３２、２３３、２４１、２４２、２４３と接続されて外部に引き出される複数の引出電極４１１、４２１、４３１、４１２、４２２、４３２、４１３、４２３、４３３、４１４、４２４、４３４と、を有する。以下、このような共通モードノイズフィルタ２０００の構成についてより詳細に説明する。
【００４０】
第１のシート１１０には、複数の孔１１１、１１２、１１３と、複数のコイルパターン２１１、２２１、２３１および引出電極４１１、４２１、４３１が形成される。シート１１０は、所定の厚さを有する略矩板状に設けられ、短辺および長辺が、例えば、１：３の長さ比を有する。すなわち、シート１１０は、長辺が短辺よりも例えば、３倍ほどさらに長い矩形状を有する。複数の孔１１１、１１２、１１３は、シート１１０の所定の領域、例えば、短辺の中央領域から長辺に向かって所定の間隔だけ隔てられて第１のシート１１０を貫通するように形成される。このとき、孔１１１、１１２、１１３同士の間隔は等しい。孔１１１、１１２、１１３には導電物質が埋め込まれるが、金属物質のペーストが埋め込まれる。これらの導電物質が埋め込まれた孔１１１、１１２、１１３は、垂直接続配線３１２、３２２、３３２の一部となる。また、複数のコイルパターン２１１、２２１、２３１は、導電物質を、例えば、印刷して螺旋状に形成するが、複数の孔１１１、１１２、１１３のそれぞれから一方向に回転して所定の回転数で形成される。このとき、複数のコイルパターン２１１、２２１、２３１は互いに所定の間隔だけ隔てられるように複数の孔１１１、１１２、１１３のそれぞれから、例えば、時計周り方向に回転する。また、複数のコイルパターン２１１、２２１、２３１は、第２のシート１２０の孔１２１、１２３、１２５が形成された領域には形成しないことが好ましい。このため、複数のコイルパターン２１１、２２１、２３１は孔１１１、１１２、１１３から一方向、例えば、一短辺方向に延び、そこから孔１１１、１１２、１１３および第２のシート１２０の孔１２１、１２３、１２５が形成された領域の周りに沿って複数の回転数だけ回転して形成される。このとき、複数のコイルパターン２１１、２２１、２３１は、線幅および間隔が等しくてもよく、少なくともいずれか一つの線幅および間隔が異なってもよい。また、複数のコイルパターン２１１、２２１、２３１は回転数が等しくてもよく、少なくともいずれか一つの回転数が異なってもよい。例えば、第２のコイルパターン２２１は、第１および第３のコイルパターン２１１、２３１よりも回転数がさらに多いが、例えば、１：１〜１０：１の回転数の比を有する。さらに、複数のコイルパターン２１１、２２１、２３１の先端は、引出電極４１１、４２１、４３１と接続される。引出電極４１１、４２１、４３１は所定の幅に形成されて第１のシート１１０の一つの長辺に露設される。例えば、引出電極４１１、４２１、４３１は、第１のシート１１０の一長辺方向に延設されるが、第１のシート１１０の複数の孔１１１、１１２、１１３からコイルパターン２１１、２２１、２３１が延びた方向とは反対方向の第１のシート１１０の一つの長辺に露設される。
【００４１】
第２のシート１２０には複数の孔１２１、１２２、１２３、１２４、１２５、１２６と、複数のコイルパターン２１２、２２２、２３２および引出電極４１２、４２２、４３２が形成される。第２のシート１２０は、第１のシート１１０と同じ厚さおよび形状を有する矩形板状に設けられる。複数の孔１２１、１２２、１２３、１２４、１２５、１２６は、所定の領域、例えば、短辺の中央領域から長辺に向かって所定の間隔だけ隔てられて第２のシート１２０を貫通するように形成される。このとき、孔１２２、１２４、１２６は、第１のシート１１０の孔１１１、１１２、１１３と同じ個所に形成される。また、孔１２１、１２３、１２５は、孔１２２、１２４、１２６から所定の間隔だけ隔てられて形成される。孔１２１、１２２、１２３、１２４、１２５、１２６は、例えば、金属物質のペーストによって埋め込まれる。さらに、孔１２２、１２４、１２６は、導電物質によって第１のシート１１０の孔１１１、１１２、１１３に埋め込まれた導電物質とそれぞれ接続される。このため、孔１２２、１２４、１２６は、垂直接続配線３１２、３２２、３２３の一部となる。加えて、導電物質が埋め込まれた孔１２１、１２３、１２５は、垂直接続配線３１１、３２１、３３１の一部となる。複数のコイルパターン２１２、２２２、２３２のそれぞれは、孔１２１、１２３、１２５から一方向に回転して所定の回転数で形成される。このとき、複数のコイルパターン２１２、２２２、２３２は、孔１２２、１２４、１２６を通過しないように形成される。このため、複数のコイルパターン２１２、２２２、２３２は、孔１２１、１２３、１２５から一方向、例えば、一短辺方向に延び、そこから孔１２１、１２２、１２３、１２４、１２５、１２６が形成された領域の周りに沿って複数の回転数だけ回転して形成される。このとき、複数のコイルパターン２１２、２２２、２３２は、線幅および間隔が等しくてもよく、少なくともいずれか一つの線幅および間隔が異なってもよい。また、複数のコイルパターン２１２、２２２、２３２は、回転数が等しくてもよく、少なくともいずれか一つの回転数が異なってもよい。例えば、第２のコイルパターン２２２は、第１および第３のコイルパターン２１２、２３２よりも回転数が多いが、例えば、１：１〜１０：１の回転数の比を有する。さらに、第２のシート１２０の上に形成されたコイルパターン２１２、２２２、２３２のそれぞれは、これと対応する第１のシート１１０の上に形成されたコイルパターン２１１、２２１、２３１のそれぞれと同じ方向に回転して同じ回転数で形成される。一方、複数のコイルパターン２１２、２２２、２３２の先端は、引出電極４１２、４２２、４３２と接続される。引出電極４１２、４２２、４３２は、所定の幅に形成されて第２のシート１２０の一方の辺に露設される。このとき、引出電極４１２、４２２、４３２は、第１のシート１１０に形成された引出電極４１１、４２１、４３１から所定の間隔だけ隔てられて同じ方向に露設される。
【００４２】
第３のシート１３０には、複数の孔１３１、１３２、１３３と、複数のコイルパターン２１３、２２３、２３３と、複数本の水平接続配線５１１、５１２、５１３および複数の引出電極４１３、４２３、４３３が形成される。第３のシート１３０は、第１および第２のシート１１０、１２０と同じ厚さおよび形状を有する略矩形板状に設けられる。複数の孔１３１、１３２、１３３は、第３のシート１３０を貫通して形成されるが、第２のシート１２０の孔１２１、１２３、１２５と同じ個所に形成される。また、複数の孔１３１、１３２、１３３には、例えば、金属物質のペーストが埋め込まれる。このため、孔１３１、１３２、１３３は、第２のシート１２０の孔１２１、１２３、１２５と接続されて垂直接続配線３１１、３２１、３３１の一部となる。水平接続配線５１１、５１２、５１３は、孔１３１、１３２、１３３から所定の間隔だけ隔てられて形成され、第２のシート１２０の孔１２２、１２４、１２６と同じ個所に形成される。さらに、複数のコイルパターン２１３、２２３、２３３は、複数の接続配線５１１、５１２、５１３から一方向に回転して所定の回転数で形成される。このとき、複数のコイルパターン２１３、２２３、２３３は、第３のシート１３０の上に形成された孔１３１、１３２、１３３を通過しないように形成される。このため、複数のコイルパターン２１３、２２３、２３３は、水平接続配線５１１、５１２、５１３から一方向、例えば、一短辺方向に延び、そこから孔１３１、１３２、１３３および水平接続配線５１１、５１２、５１３が形成された領域の周りに沿って複数の回転数だけ回転して形成される。このとき、複数のコイルパターン２１３、２２３、２３３は、線幅および間隔が等しくてもよく、少なくともいずれか一つの線幅および間隔が異なってもよい。また、複数のコイルパターン２１３、２２３、２３３は、回転数が等しくてもよく、少なくともいずれか一つの回転数が異なってもよい。例えば、第２のコイルパターン２２３は、第１および第３のコイルパターン２１３、２３３よりも回転数がさらに多いが、例えば、１：１〜１０：１の回転数の比を有する。さらに、第３のシート１３０の上に形成されたコイルパターン２１３、２２３、２３３のそれぞれは、それと対応する第１のシート１１０の上に形成されたコイルパターン２１１、２２１、２３１および第２のシート１２０の上に形成されたコイルパターン２１２、２２２、２３２のそれぞれと同じ方向に回転して同じ回転数で形成される。一方、複数のコイルパターン２１３、２２３、２３３の先端は、引出電極４１３、４２３、４３３と接続される。引出電極４１３、４２３、４３３は、所定の幅に形成されて第３のシート１３０の一方の辺に露設される。このとき、引出電極４１３、４２３、４３３は、第１のシート１１０に形成された引出電極４１１、４２１、４３１とは反対方向に、且つ、同じ個所に同じ幅に形成される。
【００４３】
第４のシート１４０には、複数のコイルパターン２１４、２２４、２３４と、複数本の水平接続配線５２１、５２２、５２３および複数の引出電極４１４、４２４、４３４が形成される。第４のシート１４０は、所定の厚さを有する略矩形板状に設けられ、シート１１０、１２０、１３０と同じ形状に設けられる。水平接続配線５２１、５２２、５２３は、一方向に隔てられて第４のシート１４０の所定の領域に形成される。例えば、複数本の水平接続配線５２１、５２２、５２３は、第３のシート１３０の複数の孔１３１、１３２、１３３と同じ領域に形成される。また、複数のコイルパターン２１４、２２４、２３４は、複数本の水平接続配線５２１、５２２、５２３のそれぞれから一方向に回転して所定の回転数で形成される。このとき、複数のコイルパターン２１４、２２４、２３４は、第４のシート１４０の上の接続配線５２１、５２２、５２３の周りに形成される。例えば、複数のコイルパターン２１４、２２４、２３４は、接続配線５２１、５２２、５２３から一方向、例えば、一短辺方向に延び、そこから第３のシート１３０に形成された複数のコイルパターン２１３、２２３、２３３と同じ形状に形成される。このとき、複数のコイルパターン２１４、２２４、２３４は、線幅および間隔が等しくてもよく、少なくともいずれか一つの線幅および間隔が異なってもよい。さらに、複数のコイルパターン２１４、２２４、２３４は、回転数が等しくてもよく、少なくともいずれか一つの回転数が異なってもよい。例えば、第２のコイルパターン２２４は、第１および第３のコイルパターン２１４、２３４よりも回転数がさらに多いが、例えば、１：１〜１０：１の回転数の比を有する。一方、複数のコイルパターン２１４、２２４、２３４の先端は、引出電極４１４、４２４、４３４と接続される。引出電極４１４、４２４、４３４は、所定の幅に形成されて第４のシート１４０の一方の辺に露設される。このとき、引出電極４１４、４２４、４３４は、第２のシート１２０に形成された引出電極４１２、４２２、４３２とは反対方向に、且つ、同じ個所に同じ幅に形成される。
【００４４】
上述したように、本発明の一実施形態による回路保護素子は、第１のシート１１０の上に形成された複数のコイルパターン２１１、２２１、２３１が第１のシート１１０に形成されて導電物質が埋め込まれた複数の孔１１１、１１２、１１３および第２のシート１２０に形成されて導電物質が埋め込まれた複数の孔１２２、１２４、１２６を介して第３のシート１３０の上に形成された複数のコイルパターン２１３、２２３、２３３とそれぞれ接続され、第２のシート１２０の上に形成された複数のコイルパターン２１２、２２２、２３２は、第２のシート１２０に形成されて導電物質が埋め込まれた複数の孔１２１、１２３、１２５および第３のシート１３０に形成されて導電物質が埋め込まれた複数の孔１３１、１３２、１３３を介して第４のシート１４０の上に形成された複数のコイルパターン２１４、２２４、２３４とそれぞれ接続される。このため、本発明による回路保護素子は、第１のシート１１０の上に形成された複数のコイルパターン２１１、２２１、２３１と第３のシート１３０の上に形成された複数のコイルパターン２１３．２２３、２３３がそれぞれ接続されて複数の第１のインダクタをなし、第２のシート１２０の上に形成された複数のコイルパターン２１２、２２２、２３２と第４のシート１４０の上に形成された複数のコイルパターン２１４、２２４、２３４がそれぞれ接続されて複数の第２のインダクタをなす。このように垂直方向にそれぞれ形成された第１および第２のインダクタによって複数の共通モードノイズフィルタ２１００、２２００、２３００；２０００が実現される。すなわち、第１の共通モードノイズフィルタ２１００は、両コイルパターン２１１、２１３が接続された第１のインダクタおよび両コイルパターン２１２、２１４が接続された第２のインダクタを有し、第２の共通モードノイズフィルタ２２００は、両コイルパターン２２１、２２３が接続された第１のインダクタおよび両コイルパターン２２２、２２４が接続された第２のインダクタを有し、第３の共通モードノイズフィルタ２３００は、両コイルパターン２３１、２３３が接続された第１のインダクタおよび両コイルパターン２３２、２３４が接続された第２のインダクタを有する。
【００４５】
このような本発明の一実施形態による回路保護素子は、コイルパターン２１０、２２０、２３０の回転数などを調節することによりインダクタンスまたはインピーダンスを調節することができ、これにより抑えられる周波数のノイズを調節することができる。例えば、第２の共通モードノイズフィルタ２２００のコイルパターン２２０の回転数を第１および第３の共通モードノイズフィルタ２１００、２３００のコイルパターン２１０、２３０の回転数よりも多くし、図４に示すように、第２の共通モードノイズフィルタ２２００をＵＳＢ２．０ラインに接続し、第１および第３の共通モードノイズフィルタ２１００、２３００をＵＳＢ３．０ラインに接続する。すなわち、第２の共通モードノイズフィルタ２２００は、ＵＳＢ２．０チップセット１０とＵＳＢコネクタ３０との間のＵＳＢ２．０ライン２１ａ、２１ｂに接続され、第１および第３の共通モードノイズフィルタ２１００、２３００は、ＵＳＢ３．０チップセット２０とＵＳＢコネクタ３０との間のＵＳＢ３．０ライン１１ａ、１１ｂ、２２ａ、２２ｂに接続される。このため、図５に示すように、第２の共通モードノイズフィルタ２２００は、差動モード（ｄｉｆｆｅｒｅｎｔｉａｌ ｍｏｄｅ）Ａ１１において約４ＧＨｚ〜５ＧＨｚの遮断周波数特性を有し、共通モード（ｃｏｍｍｏｎ ｍｏｄｅ）Ｂ１１において約１ＧＨｚの遮断周波数特性を有する。また、図６に示すように、第１および第３の共通モードノイズフィルタ２１００、２３００は、差動モードＡ１２において約７ＧＨｚ〜９ＧＨｚの遮断周波数特性を有し、共通モードＢ１２において約２ＧＨｚの遮断周波数特性を有する。すなわち、本発明による共通モードノイズフィルタ２０００は、ＵＳＢチップセットとＵＳＢコネクタとの間のＵＳＢラインに接続されて通信に用いられ、その場合、３ｄＢの差動モードにおいて第２の共通モードノイズフィルタ２２００は約４ＧＨｚ〜５ＧＨｚの周波数のノイズを抑え、第１および第３の共通モードノイズフィルタ２１００、２３００は約７ＧＨｚ〜９ＧＨｚの周波数のノイズを抑える。要するに、本発明による回路保護素子は、２以上の周波数帯域のノイズを抑えることができ、これにより、様々な周波数の機能を採用するスマートフォンなどの携帯用電子機器に用いられて電子機器の品質を向上させることができる。
【００４６】
一方、前記本発明の一実施形態による回路保護素子においては、それぞれ２つのインダクタからなる複数の共通モードノイズフィルタを例にとって説明した。しかしながら、本発明による回路保護素子は、複数の共通モードノイズフィルタと静電気放電（ＥＳＤ）保護素子が組み合わせられた構造に設けられてもよい。すなわち、少なくとも２以上の共通モードノイズフィルタと静電気放電（ＥＳＤ）が組み合わせられて回路保護素子が実現される。以下、このような本発明の他の実施形態による回路保護素子を図７、図８および図９を用いて説明する。
【００４７】
図７は、本発明の他の実施形態による回路保護素子の結合斜視図であり、図８は、同結合断面図であり、図９は、同分解斜視図である。
【００４８】
図７を参照すると、本発明の他の実施形態による回路保護素子は、複数の絶縁シートが積み重ねられた積層体１００からなるが、図８および図９に示すように、上から上部カバー層１０００と、少なくとも２以上の共通モードノイズフィルタ２１００、２２００、２３００（２０００）と、中間層５０００と、静電気放電（ＥＳＤ）保護素子６０００および下部カバー層３０００を備える。すなわち、上部カバー層１０００と下部カバー層３０００との間に共通モードノイズフィルタ２０００および静電気放電（ＥＳＤ）保護素子６０００が積み重ねられて設けられる。また、積層体１００の相対向する両側面に形成されて少なくとも２以上の共通モードノイズフィルタ２０００および静電気放電（ＥＳＤ）保護素子６０００と接続される第１の外部電極４１００、４２００、４３００（４０００）と、第１の外部電極４０００が形成されていない積層体１００の相対向する両側面に形成されて静電気放電（ＥＳＤ）保護素子６０００と接続される第２の外部電極７１００、７２００（７０００）と、をさらに有してもよい。すなわち、第１の外部電極４０００は、積層体１００の相対向する両長辺の側面に形成され、第２の外部電極７０００は、積層体１００の相対向する両短辺の側面に形成される。
【００４９】
共通モードノイズフィルタ２０００は、第１のシート１１０に形成された少なくとも２以上のコイルパターン２１１、２２１、２３１が、第３のシート１３０に形成された少なくとも２以上のコイルパターン２１３、２２３、２３３と、第１のシート１１０に形成された複数の伝導性物質が埋め込まれた孔１１１、１１２、１１３および第２のシート１２０に形成されて複数の導電物質が埋め込まれた孔１２２、１２４、１２６を介してそれぞれ接続され、第２のシート１２０に形成された少なくとも２以上のコイルパターン２１２、２２２、２３２が、第４のシート１４０に形成された少なくとも２以上のコイルパターン２１４、２２４、２３４と、第２のシート１２０に形成された複数の伝導性物質が埋め込まれた孔１２１、１２３、１２５および第３のシート１３０に形成されて複数の伝導性物質が埋め込まれた孔１３１、１３２、１３３を介して接続される。すなわち、第１のシート１１０のコイルパターン２１１が第３のシート１３０のコイルパターン２１３と垂直接続配線３１２を介して接続され、第２のシート１２０のコイルパターン２１２が第４のシート１４０のコイルパターン２１４と垂直接続配線３１１を介して接続されて第１の共通モードノイズフィルタ２１００が形成される。また、第１のシート１１０のコイルパターン２２１が第３のシート１３０のコイルパターン２２３と垂直接続配線３２２を介して接続され、第２のシート１２０のコイルパターン２２２が第４のシート１４０のコイルパターン２２４と垂直接続配線３２１を介して接続されて第２の共通モードノイズフィルタ２２００が形成される。そして、第１のシート１１０のコイルパターン２３１が第３のシート１３０のコイルパターン２３３と垂直接続配線３３２を介して接続され、第２のシート１２０のコイルパターン２３２が第４のシート１４０のコイルパターン２３４と垂直接続配線３３１を介して接続されて第３の共通モードノイズフィルタ２３００が形成される。一方、共通モードノイズフィルタ２１００、２２００、２３００（２０００）は、コイルパターンの回転数が少なくとも２以上であり、これにより、少なくとも２以上のインピーダンスおよび遮断周波数特性を有する。すなわち、第１および第３の共通モードノイズフィルタ２１００、２３００がＵＳＢ３．０ラインに接続され、第２の共通モードノイズフィルタ２２００がＵＳＢ２．０ラインに接続されるが、第１および第３の共通モードノイズフィルタ２１００、２３００はコイルパターンの回転数が等しく、第２の共通モードノイズフィルタ２２００のコイルパターンの回転数とは異なる。例えば、第１および第３の共通モードノイズフィルタ２１００、２３００は、第２の共通モードノイズフィルタ２２００のコイルパターンの回転数に等しいかそれよりも小さいが、コイルパターンの回転数の比が、例えば、１：１〜１：１０である。このような共通モードノイズフィルタ２０００の構成は、図２および図３を用いて説明した本発明の一実施形態と同様であるため、その詳細な説明は省略する。
【００５０】
静電気放電（ＥＳＤ）保護素子６０００は、引出電極および孔がそれぞれ選択的に形成された複数枚のシート１５０、１６０が積み重ねられてなる。
【００５１】
シート１５０の上面には、複数の引出電極１５５が形成される。複数の引出電極１５５は、複数の共通モードノイズフィルタ２０００の引出電極４００と同じ個所に形成される。すなわち、静電気放電（ＥＳＤ）保護素子６０００の複数の引出電極１５５は、複数の共通モードノイズフィルタ２０００の複数の引出電極４００と対応するように複数形成される。このため、引出電極１５５は、複数の共通モードノイズフィルタ２０００の引出電極４００とともに第１の外部電極４０００と接続される。また、シート１５０の上には、複数の孔１５１が形成されるが、複数の孔１５１は、複数の引出電極１５５の一方の端部にそれぞれ形成される。さらに、複数の孔１５１は、それぞれ静電気放電（ＥＳＤ）保護物質によって埋め込まれる。静電気放電（ＥＳＤ）保護物質は、ポリビニルアルコール（ＰＶＡ：Ｐｏｌｙｖｉｎｙｌ Ａｌｃｏｈｏｌ）またはポリビニルブチラル（ＰＶＢ：Ｐｏｌｙｖｉｎｙｌ Ｂｕｔｙｒａｌ）などの有機物にＲｕＯ2、Ｐｔ、Ｐｄ、Ａｇ、Ａｕ、Ｎｉ、Ｃｒ、Ｗなどから選択された少なくとも一種の導電性物質を混合した物質を用いて形成する。なお、静電気放電（ＥＳＤ）保護物質は、前記混合物質にＺｎＯなどのバリスタ物質またはＡｌ2Ｏ3などの絶縁性セラミック物質をさらに混合して形成してもよい。
【００５２】
シート１６０の上面には、シート１６０の短辺方向に露出される引出電極１６５が形成される。引出電極１６５は、シート１６０の一方の短辺からこれと向かい合う他方の短辺に長辺に沿って形成される。すなわち、引出電極１６５は、長辺に沿って一方の短辺および他方の短辺にそれぞれ露出されるように延設される。このような引出電極１６５は、積層体１００の相対向する両短辺の側面に形成された第２の外部電極７０００と接続される。また、引出電極１６５の所定の領域はシート１５０の孔１５１と接続されるが、このために、孔１５１と接続される部分は他の領域に比べて幅が広い。
【００５３】
上述した静電気放電（ＥＳＤ）保護素子６０００は、孔１５１内に埋め込まれた静電気放電（ＥＳＤ）保護物質が伝導性物質と絶縁性物質が所定の割合にて混合された状態で存在する。すなわち、絶縁性物質の間に伝導性粒子が存在し、引出電極１５５に所定の電圧以下の電圧が印加される場合には絶縁状態を維持し、引出電極１５５に所定の電圧以上の電圧が印加される場合には伝導性粒子の間に放電が起きて当該引出電極１５５間の電圧差を減らす。
【００５４】
上述した本発明の他の実施形態によるそれぞれ２つのインダクタからなる複数の共通モードノイズフィルタと静電気放電（ＥＳＤ）保護素子が組み合わせられた回路保護素子は、電子機器に用いられる信号入力端子とシステムとの間に第１の外部電極４０００が接続され、接地端子に第２の外部電極７０００が接続されて共通モードノイズを除去するだけではなく、入出力端子に流入する静電気を接地端子に流す。すなわち、共通モードノイズフィルタ２０００が、図４に示すように、ＵＳＢコネクタ３０とＵＳＢチップセット１０、２０との間に配置されて共通モードノイズを効率よく抑える。また、静電気放電（ＥＳＤ）保護素子がＵＳＢコネクタ３０とＵＳＢチップセット１０、２０との間において接地端子と接続されて回路保護素子の両端間に不所望の所定の電圧以上の電圧が印加されれば、静電気放電（ＥＳＤ）保護物質の伝導性粒子の間に放電が起きて接地端子に電流を流し、当該回路保護素子の両端間の電圧差を減らす。このとき、回路保護素子の両端は導通状態となるわけではないため、入力信号は歪なしにそのまま入出力端子に渡される。すなわち、回路保護素子は、静電気が発生しても、当該静電気は当該回路保護素子を介して接地に抜け出て回路を保護するとともに、システムが送受する信号はそのまま維持される。
【００５５】
一方、前記本発明の実施形態による回路保護素子は、複数の共通モードノイズフィルタ２０００が上側および下側に形成されたコイルパターンがそれぞれ接続されてインダクタをなす場合を例にとって説明した。しかしながら、コイルパターンは磁芯を取り囲むように共通モードノイズフィルタ２０００を構成してもよい。すなわち、シート１１０〜１４０の中央領域に孔が形成され、孔に磁性体物質が埋め込まれて上下方向に磁芯が設けられ、このような磁芯を上下方向に取り囲むようにインダクタを実現してもよい。
【００５６】
本発明の技術的思想は前記実施形態により具体的に記述されたが、前記実施形態はその説明のためのものであり、その制限のためのものではないということはいうまでもない。なお、本発明の技術分野における当業者であれば、本発明の技術思想の範囲内において種々の実施形態が採用可能であるということが理解できるであろう。
【符号の説明】
【００５７】
１０００：上部カバー
２０００：共通モードノイズフィルタ
２１００、２２００、２３００：第１、第２および第３の共通モードノイズフィルタ
４０００：外部電極
【図１】
2015192149.tif 000003
【図２】
2015192149.tif 000004
【図３】
2015192149.tif 000005
【図４】
2015192149.tif 000006
【図５】
2015192149.tif 000007
【図６】
2015192149.tif 000008
【図７】
2015192149.tif 000009
【図８】
2015192149.tif 000010
【図９】
2015192149.tif 000011